(57)【要約】【課題】高い顧客吸引力を発揮する広告表示体を提供すること。【解決手段】それ自体を所定の場所に固定するための取付具１を有する支持体２と、支持体２に取り付けられた映像及び音声再生装置３と、支持体２に対して着脱自在に取り付けられたヘッドホン４とからなる。取付具１を使って、壁、棚、柱などの様々な場所に設置できるので、広告が必要な場所にて商品等の広告宣伝を行うことができる。そして、店内放送や雑踏などで周囲が騒々しい環境においても、映像及び音声再生装置３から再生される動画である広告表示と、ヘッドホン４を通して映像及び音声再生装置から再生される音声により、商品広告の相乗効果が生み出され、高い顧客吸引力を発揮できる。【選択図】図１
2006098442.tif 000002
【特許請求の範囲】
【請求項１】
それ自体を所定の場所に固定するための取付具を有する支持体と、支持体に取り付けられた映像及び音声再生装置と、支持体に対して着脱自在に取り付けられたヘッドホンとからなることを特徴とする広告表示体。
【発明の詳細な説明】
【技術分野】
【０００１】
本発明は、各種店舗の店頭において商品の広告宣伝を行うために使用される広告表示体に関するものである。
【背景技術】
【０００２】
一般に、専門店やスーパーマーケットなどの店頭にて商品の販売を行う場合、通路や壁に一段もしくは多段の棚を構築し、その棚の上に商品を並べて陳列するとともに、各商品や商品群の前面にそれぞれの価格を表示するようになっている。そして、新商品などの特定の商品に対しては、目立つ印刷物（看板）を棚の前面に掲げて当該商品を広告宣伝することが行われている。また、最近では、特に販促強化を狙った場合など、液晶モニター等を使った広告表示体が使用されている。
【特許文献１】特許第２９２１３６１号公報
【特許文献２】特開２００２−２６８５９９号公報
【発明の開示】
【発明が解決しようとする課題】
【０００３】
上記の液晶モニターを使った広告表示体は、映像と音声による広告宣伝を利用することにより、大きな広告効果が得られるという利点がある。ところが、店内は様々な放送が行われていたり音楽が流れていたりして賑やかな場合が多く、広告の音声がそれらに紛れて聞き取りにくくなるといという問題がある。特に、店内が混んでいる時は、人の雑踏が加わって一層聞き取りにくい状態となる。また、広告表示体の前を通りすがりで聞くことが多いため、回りの商品と混同する恐れがあり、新商品など特定の商品の広告効果が半減するということもある。
【０００４】
本発明は、このような事情に鑑みてなされたものであり、その目的とするところは、高い顧客吸引力を発揮する広告表示体を提供することにある。
【課題を解決するための手段】
【０００５】
上記の目的を達成するため、本発明の広告表示体は、それ自体を所定の場所に固定するための取付具を有する支持体と、支持体に取り付けられた映像及び音声再生装置と、支持体に対して着脱自在に取り付けられたヘッドホンとからなることを特徴としている。
【発明の効果】
【０００６】
本発明の広告表示体は、取付具を使って、壁、棚、柱などの様々な場所に設置できるので、広告が必要な場所にて商品等の広告宣伝を行うことができる。そして、店内放送や雑踏などで周囲が騒々しい環境においても、映像及び音声再生装置から再生される動画である広告表示と、ヘッドホンを通して映像及び音声再生装置から再生される音声により、商品広告の相乗効果が生み出され、高い顧客吸引力を発揮することができる。
【０００７】
また、広告を希望する商品が陳列棚一面に複数陳列されている店頭では、これらに応じて複数の広告表示体を設置しておくことで、ヘッドホンにより個別に音声広告を再生することで、興味を持って商品毎の広告情報を取得できるので、音声をそのまま流す広告手法とは違い、隣接する商品との混同を生じることなく、効果的に特定の商品の広告宣伝を行うことができる。
【発明を実施するための最良の形態】
【０００８】
図１は本発明に係る広告表示体の一例を示す斜視図である。
【０００９】
広告表示体Ａは、それ自体を所定の場所に固定するための取付具１を有する支持体２と、支持体２に取り付けられた映像及び音声再生装置３と、支持体２に対して着脱自在に取り付けられたヘッドホン４とからなる。図示の例では、支持体２はアルミ板、プラスチック板等の素材からなる円形のプレート状であって、その中央部には切り欠かれた窓孔部２ａが形成されており、裏側には窓孔部２ａより下方の位置に棒状の取付具１が設けられている。また、支持体２の表側には、窓孔部２ａより下方の位置にヘッドホン支持部２ｂが取り付けられている。なお、この例では、その表面に広告を表示するために支持体２をプレート状とし、しかも、ネット状の壁に取り付けて前方に突き出させるために棒状の取付具１を用いているが、支持体２の形状は任意であるし、また取付具１は設置場所に応じて適宜のものを使用すればよい。
【００１０】
映像及び音声再生装置３は、画像表示部と音声出力部とを備えており、支持体２の裏側に形成された装填部（図示せず）に収納され、画像表示部を構成する液晶パネル等の表示装置が窓孔部２ａから露出した状態になっている。この表示装置としては、液晶パネルの他に、ＣＲＴ、プラズマディスプレイパネル等を使用することもできる。そして、映像及び音声再生装置３の音声出力端子はヘッドホン４のコードが接続可能になっており、映像及び音声再生装置３にて再生される広告の音声はヘッドホン４にて聞くことができる。なお、映像及び音声再生装置３を作動させるための電力は電池でも可能であるが、通常は店頭の配線から電気をとるようになっており、図ではそのための電源用コードの表示を省略している。
【００１１】
本発明の広告表示体は、取付具を使って、壁、棚、柱などの様々な場所に設置することができる。例えば図１に示す広告表示体Ａは、取付部１の先端をネット状の壁に引っ掛けることで簡単に取り付けることができる。この場合、落下すると映像及び音声再生装置３が壊れる恐れがあるので、外れ止めのネジを組み込んでおくなどして取付具１をネットに固定するのが望ましい。
【００１２】
このように、広告表示体Ａを壁面に取り付けた状態で、映像及び音声再生装置３を作動させ、支持体２の表側に描かれた静止画としての広告表示と、映像及び音声再生装置３から再生される動画としての広告表示により、通常の顧客吸引力が発揮される。そして、情報取得の意志がある顧客に対しては、ヘッドホン４を通して映像及び音声再生装置３から再生される音声による広告を聞いてもらうことにより、映像と併せて大きな広告宣伝効果が発揮されることになる。なお、映像及び音声再生装置３は商品の広告を音声と動画により再生するが、この場合、無線もしくは有線による信号に基づいて商品の広告表示を行うようにすることもできるし、商品の広告内容を記憶させた記録媒体を収納しておき、その情報を再生することもできる。
【００１３】
以上、一つの例を挙げて本発明の実施の形態について説明してきたが、本発明による広告表示体は、上記実施の形態に何ら限定されるものではなく、本発明の趣旨を逸脱しない範囲において種々の変更が可能であることは言うまでもないことである。
【図面の簡単な説明】
【００１４】
【図１】本発明に係る広告表示体の一例を示す斜視図である。
【符号の説明】
【００１５】
Ａ  広告表示体
１  取付具
２  支持体
２ａ  窓孔部
２ｂ  ヘッドホン支持部
３  映像及び音声再生装置
４  ヘッドホン
【図１】
2006098442.tif 000003